(57)【要約】      （修正有）【課題】ベビーカーやカートなどに使用する構造が簡単で安全性が高い、関節折畳み係合固定構造を提供する。【解決手段】関節折畳み係合固定構造は第一回転軸ユニット１、第二回転軸ユニット２、係合固定ユニット３、連動ユニット４を備え、連動ユニット４は係合固定ユニット３を連動し、第一回転軸ユニット１と第二回転軸ユニット２の係合固定、或いは係合の制御を制御する。【選択図】図２
0003153620.tif 000002
【実用新案登録請求の範囲】
【請求項１】
第一回転軸ユニット、第二回転軸ユニット、係合固定ユニット、連動ユニットを備え、
前記第一回転軸ユニットは、第一サポートフレームを備え、前記第一サポートフレームには、第一軸台を連接し、前記第一軸台上には、軸柱を設置し、
前記第二回転軸ユニットは、第二サポートフレームを備え、前記第二サポートフレームには、第二軸台を連接し、前記第二サポートフレーム内は、中空空間で、前記第二サポートフレーム外には、スライド槽を開設し、前記第二軸台上には、軸カバーを設置し、前記軸カバー上には、軸孔を開設し、前記軸孔には、軸柱を挿入して組合せ、
前記係合固定ユニットは、挿入ピンを備え、前記挿入ピンの一端には、収容設置部を備え、前記収容設置部の一端には、固定端を備え、前記固定端は、前記第一軸台の接触固定体に設置し、前記接触固定体上には、栓孔を開設し、前記栓孔は、前記第二軸台と前記第二サポートフレームとの連接位置の挿入孔に設置し、前記弾性部品は、該挿入ピンの収容設置部に被せて設置し、前記挿入ピンは、前記栓孔と前記挿入孔との間に設置し、
前記連動ユニットは、貫通状態のカバー孔を設置する回転軸を備え、前記軸カバー上に被せて設置し、前記回転軸上には、挟角を形成して、「く」の字型を呈する第一サポートアームと第二サポートアームを設置し、前記第一サポートアームと前記回転軸とが連接する反対端は、第一固定端で、前記第一固定端と牽引部品は、連接し、前記牽引部品は、前記中空空間を経て、前記第一固定端が連接する反対端の牽引動部品と連接し、前記牽引動部品は、前記スライド槽に設置し、前記スライド槽中においてスライド移動でき、
前記第二サポートアームと前記回転軸とが連接する反対端は、第二固定端で、前記第二固定端は、前記挿入ピンの固定端を固定することを特徴とする関節折畳み係合固定構造。
【請求項２】
前記牽引部品は、プルワイヤーであることを特徴とする請求項１に記載の関節折畳み係合固定構造。
【請求項３】
前記牽引部品は、プルバーであることを特徴とする請求項１に記載の関節折畳み係合固定構造。
【請求項４】
前記牽引動部品は、ボードであることを特徴とする請求項１に記載の関節折畳み係合固定構造。
【請求項５】
前記牽引動部品は、レバーであることを特徴とする請求項１に記載の関節折畳み係合固定構造。
【請求項６】
前記弾性部品は、バネであることを特徴とする請求項１に記載の関節折畳み係合固定構造。
【請求項７】
前記挿入ピンの固定端の反対端には、弧状面を備えることを特徴とする請求項１に記載の関節折畳み係合固定構造。
【請求項８】
前記係合固定ユニットの固定端は、ネジヤマを備え、ナットと螺合して、前記連動ユニットの第二固定端に固定することを特徴とする請求項１に記載の関節折畳み係合固定構造。
【請求項９】
前記第一回転軸ユニット、前記第二回転軸ユニット、前記係合固定ユニット、前記連動ユニットは、複数の外ケースにより蓋をして覆うことを特徴とする請求項１に記載の関節折畳み係合固定構造。
【考案の詳細な説明】
【技術分野】
【０００１】
本考案は関節構造に関し、特に関節の折畳み係合固定構造に関する。
【背景技術】
【０００２】
従来のベビーカー、カートなどの多くは折畳みの構造設計を備えるため、家庭内での収納、或いは外出時の携帯に便利である。
ベビーカーを例とすれば、使用者が、子供を連れて外出する時には、子供をベビーカーに乗せておけば、手で子供を抱く必要がないため、体力を節約することができ、またより楽である。
使用完了時には、その折畳み機構を利用して、ベビーカーを車内或いは室内に収納する。
【０００３】
従来のベビーカーの折畳みに用いる関節構造の多くは、関節の係合固定及び係合固定解除を制御するスイッチを直接関節上に設置する。
しかしこれでは、使用者は操作時に、関節上のスイッチを制御するためには腰を曲げる必要があり、非常に不便である。
さらに、スイッチを関節の位置に設置することで、ベビーカー上の子供がいたずらし、折畳んでしまうような事故も発生し易く、これではベビーカーが倒れる危険性がある。
本考案は、従来の関節折畳み係合固定構造の上記した欠点に鑑みてなされたものである。
【考案の概要】
【考案が解決しようとする課題】
【０００４】
本考案が解決しようとする課題は、構造が簡単で、コストが低廉で、係合固定が安定しており、安全性が高く、しかも操作が便利な関節折畳み係合固定構造を提供することである。
【課題を解決するための手段】
【０００５】
上記課題を解決するため、本考案は下記の関節折畳み係合固定構造を提供する。
関節折畳み係合固定構造は、第一回転軸ユニット、第二回転軸ユニット、係合固定ユニット、連動ユニットを備え、
該第一回転軸ユニットは、第一サポートフレームを備え、該第一サポートフレームには、第一軸台を連接し、該第一軸台上には、軸柱を設置し、
該第二回転軸ユニットは、第二サポートフレームを備え、該第二サポートフレームには、第二軸台を連接し、該第二サポートフレーム内は、中空空間で、該第二サポートフレーム外には、スライド槽を開設し、該第二軸台上には、軸カバーを設置し、該軸カバー上には、軸孔を開設し、該軸孔には、軸柱を挿入して組合せ、
該係合固定ユニットは、挿入ピンを備え、該挿入ピンの一端には、弧状面を備え、該挿入ピンの反対端には、収容設置部を備え、該収容設置部の一端には、固定端を備え、該固定端は、該第一軸台の接触固定体に設置し、該接触固定体上には、栓孔を開設し、該栓孔は、該第二軸台と該第二サポートフレームとの連接位置の挿入孔に設置し、該弾性部品は、該挿入ピンの収容設置部に被せて設置し、該挿入ピンは、該栓孔と該挿入孔との間に設置し、
該連動ユニットは、貫通状態のカバー孔を設置する回転軸を備え、該軸カバー上に被せて設置し、該回転軸上には、挟角を形成して、「く」の字型を呈する第一サポートアームと第二サポートアームを設置し、該第一サポートアームと該回転軸とが連接する反対端は、第一固定端で、該第一固定端と牽引部品は、連接し、該牽引部品は、該中空空間を経て、該第一固定端が連接する反対端の牽引動部品と連接し、該牽引動部品は、該スライド槽に設置し、該スライド槽中においてスライド移動でき、
該第二サポートアームと該回転軸とが連接する反対端は、第二固定端で、該第二固定端は、該挿入ピンの固定端を固定し、
ベビーカーへの実施を例として関節折畳み係合固定構造を説明すると、
使用者がベビーカーを折畳もうとする時には、該牽引動部品を動かし、該スライド槽に沿ってスライド移動させ、これにより、該牽引部品は、該回転軸、該第一サポートアーム、該第二サポートアームを牽引して動かし、該回転軸の中心を円芯として回転動を行い、
これと同時に、該固定端により、該第二サポートアームと連接する挿入ピンは、該第二サポートアームに引かれ、該栓孔と該挿入孔が重なり構成するルートに沿って、下方へと移動し、これにより、該挿入ピンの頂点端が、該栓孔から完全に離脱すると、該第一回転軸ユニットと該第二回転軸ユニットは、該係合固定ユニットの係合固定を離れ、該回転軸の中心を円芯として回転動かし、折畳みの動作を行い、この時、該挿入ピンは、該弾性部品に押し上げられ、該挿入孔から突出し、復位し、
反対に、使用者がベビーカーを展開させようとする時には、既に折畳まれた該第一回転軸ユニットと該第二回転軸ユニットを直接展開させ、該栓孔と該挿入孔が、もとの重なった状態を回復すると、該挿入ピンは、該接触固定体と接触し、該挿入ピンの頂点端の弧状面により、該挿入ピンは、該接触固定体表面において、該栓孔内へとスムーズにスライド移動し、該接触固定体が、該第二軸台と該第二サポートフレームの連接位置に接触し、しかも該栓孔と該挿入孔が重なると、該挿入ピンは、該栓孔内に挿入され、これにより、該第一回転軸ユニットと該第二回転軸ユニットは、もとの係合固定状態を回復する。
【考案の効果】
【０００６】
本考案関節折畳み係合固定構造は、係合固定を制御するスイッチを、ベビーカーのハンドル位置に設置する。これにより、使用者はより迅速、便利、手際よく折畳みを操作することができる。さらに、係合固定のスイッチ位置が低過ぎ、幼児がいたずらし、想定外の折畳みが起きる危険を回避することができる。すなわち、ベビーカー９構造の設計をより多元的、よりフレキシブルに行うことができる。
【図面の簡単な説明】
【０００７】
【図１】本考案の立体外観図である。
【図２】本考案の立体分解図である。
【図３】本考案の断面構造図である。
【図４】本考案の動作状態を示す断面図である。
【図５】本考案の実施状態を示す模式図である。
【考案を実施するための形態】
【０００８】
以下に図面を参照しながら本考案を実施するための最良の形態について詳細に説明する。
図１、２、３に示すように、本考案関節折畳み係合固定構造は、第一回転軸ユニット１、第二回転軸ユニット２、係合固定ユニット３、連動ユニット４を備える。
第一回転軸ユニット１は、第一サポートフレーム１０を備える。
第一サポートフレーム１０には、第一軸台１１を連接する。
第一軸台１１上には、軸柱１１１を設置する。
第二回転軸ユニット２は、第二サポートフレーム２０を備える。
第二サポートフレーム２０には、第二軸台２１を連接する。
第二サポートフレーム２０内は、中空空間２００で、第二サポートフレーム２０外には、スライド槽２０１を開設する。
第二軸台２１上には、軸カバー２１１を設置する。
軸カバー２１１上には、軸孔２１０を開設する。
軸孔２１０には、軸柱１１１を挿入して組合せる。
係合固定ユニット３は、挿入ピン３１を備える。
挿入ピン３１の一端には、弧状面３１１を備える。
挿入ピン３１の反対端には、収容設置部３１０を備える。
収容設置部３１０の一端には、固定端３１２を備える。
固定端３１２は、第一軸台１１の接触固定体３２に設置する。
接触固定体３２上には、栓孔３２０を開設する。
栓孔３２０は、第二軸台２１と第二サポートフレーム２０との連接位置の挿入孔３３に設置する。
弾性部品３４は、挿入ピン３１の収容設置部３１０に被せて設置する。
挿入ピン３１は、栓孔３２０と挿入孔３３との間に設置する。
連動ユニット４は、貫通状態のカバー孔４０１を設置する回転軸４０を備え、軸カバー２１１上に被せて設置する。
回転軸４０上には、挟角を形成して、「く」の字型を呈する第一サポートアーム４１と第二サポートアーム４２を設置する。
第一サポートアーム４１と回転軸４０とが連接する反対端は、第一固定端４１１である。
第一固定端４１１と牽引部品４３は、連接する。
牽引部品４３は、中空空間２００を経て、第一固定端４１１が連接する反対端の牽引動部品４３と連接する。
牽引動部品４３は、スライド槽２０１に設置し、スライド槽２０１中においてスライド移動することができる。
第二サポートアーム４２と回転軸４０とが連接する反対端は、第二固定端４２１である。
第二固定端４２１は、挿入ピン３１の固定端３１２を固定する。
牽引部品４３は、プルワイヤー或いはプルバーのいずれかである。
牽引動部品４４は、ボード或いはレバーのいずれかである。
弾性部品３４は、バネである。
係合固定ユニット３の固定端３１２は、ネジヤマで、ナット３１２０と螺合して、連動ユニット４の第二固定端４２１に固定する。
第一回転軸ユニット１、第二回転軸ユニット２、係合固定ユニット３、連動ユニット４は、複数の外ケース９９により蓋をして覆う。
【０００９】
図２、３、４、５に示すように、ベビーカー９を例として本考案関節折畳み係合固定構造を説明する。
使用者がベビーカー９を折畳もうとする時には、牽引動部品４４を動かし、スライド槽２０１に沿ってスライド移動させる。
これにより、牽引部品４３は、回転軸４０、第一サポートアーム４１、第二サポートアーム４２を牽引して動かし、回転軸４０の中心を円芯として回転動を行う。
これと同時に、固定端３１２により、第二サポートアーム４２と連接する挿入ピン３１は、第二サポートアーム４２に引かれ、栓孔３２０と挿入孔３３が重なり構成するルートに沿って、下方へと移動する。
これにより、挿入ピン３１の頂点端が、栓孔３２０から完全に離脱すると、第一回転軸ユニット１と第二回転軸ユニット２は、係合固定ユニット３の係合固定を離れ、回転軸４０の中心を円芯として回転動かし、折畳みの動作を行う。
この時、挿入ピン３１は、弾性部品３４に押し上げられ、挿入孔３３から突出し、復位する。
反対に、使用者がベビーカー９を展開させようとする時には、既に折畳まれた第一回転軸ユニット１と第二回転軸ユニット２を直接展開させる。
栓孔３２０と挿入孔３３が、もとの重なった状態を回復すると、挿入ピン３１は、接触固定体３２と接触する。
挿入ピン３１の頂点端の弧状面３１１により、挿入ピン３１は、接触固定体３２表面において、栓孔３２０内へとスムーズにスライド移動する。
接触固定体３２が、第二軸台２１と第二サポートフレーム２０の連接位置に接触し、しかも栓孔３２０と挿入孔３３が重なると、挿入ピン３１は、栓孔３２０内に挿入される。
これにより、第一回転軸ユニット１と第二回転軸ユニット２は、もとの係合固定状態を回復する。
【００１０】
本考案関節折畳み係合固定構造は、係合固定を制御するスイッチを、ベビーカー９のハンドル位置に設置する。
これにより、使用者はより迅速、便利、手際よく折畳みを操作することができる。
さらに、係合固定のスイッチ位置が低過ぎ、幼児がいたずらし、想定外の折畳みが起きる危険を回避することができる。
すなわち、ベビーカー９構造の設計をより多元的、よりフレキシブルに行うことができる。
【００１１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１２】
本考案は実用新案の要件である新規性を備え、従来の同類製品に比べ十分な進歩を有し、実用性が高く、社会のニーズに合致しており、産業上の利用価値は非常に大きい。
【符号の説明】
【００１３】
１  第一回転軸ユニット
１０  第一サポートフレーム
１１  第一軸台
１１１  軸柱
２  第二回転軸ユニット
２０  第二サポートフレーム
２００  中空空間
２０１  スライド槽
２１  第二軸台
２１０  軸孔
２１１  軸カバー
３  係合固定ユニット
３１  挿入ピン
３１０  収容設置部
３１１  弧状面
３１２  固定端
３１２０  ナット
３２  接触固定体
３２０  栓孔
３３  挿入孔
３４  弾性部品
４  連動ユニット
４０  回転軸
４０１  カバー孔
４１  第一サポートアーム
４１１  第一固定端
４２  第二サポートアーム
４２１  第二固定端
４３  牽引部品
４４  牽引動部品
９  ベビーカー
９９  外ケース
【図１】
0003153620.tif 000003
【図２】
0003153620.tif 000004
【図３】
0003153620.tif 000005
【図４】
0003153620.tif 000006
【図５】
0003153620.tif 000007